(57)【要約】【課題】指の巻き込みなどといった異物の混入事故が防止可能であるとともに、大幅なコストアップが抑制された安全で安価な構成により、能率低下を招くことのなく細断作業を円滑に遂行することが可能なシュレッダーを提供する。【解決手段】シュレッダー１は、被細断物である用紙の投入口４からカッター５の箇所まで延びる投入通路６を備える。この投入通路６は、用紙の投入方向に対して湾曲しながら進む形となる湾曲部７を備える。これにより、投入通路６を、書類などの用紙は容易に通過させることができるが、指などの異物は湾曲部７が邪魔をして通過させないようにすることができる。そしてこれは、新たに部品を増加する必要がなく、且つ投入口４の間隔を狭くする必要もなく実現することが可能である。【選択図】図１
2008104896.tif 000002
【特許請求の範囲】
【請求項１】
投入口から、被細断物を細断するカッターの箇所まで延びる被細断物の投入通路が、被細断物の投入方向に対して湾曲しながら進む形となる湾曲部を備えることを特徴とするシュレッダー。
【請求項２】
前記投入通路の湾曲部は、被細断物の投入方向に進む形の波形状にうねっていることを特徴とする請求項１に記載のシュレッダー。
【請求項３】
前記投入通路は、前記湾曲部に、被細断物の通過空間に露出する回転体を有することを特徴とする請求項１または請求項２に記載のシュレッダー。
【請求項４】
前記投入通路は、前記湾曲部ではない箇所に、被細断物の通過空間に露出する回転体を有することを特徴とする請求項１または請求項２に記載のシュレッダー。
【請求項５】
前記回転体は、駆動装置から動力を得て回転することを特徴とする請求項３または請求項４に記載のシュレッダー。
【請求項６】
前記投入通路は、その被細断物通過空間内において、前記投入口から前記カッターの箇所まで、被細断物がまっすぐに通過できる通過空間を局部的に有することを特徴とする請求項１〜請求項５のいずれか１項に記載のシュレッダー。
【発明の詳細な説明】
【技術分野】
【０００１】
本発明は、不要となった書類などの被細断物を細断する際に用いられる家庭用または業務用のシュレッダーに関する。
【背景技術】
【０００２】
シュレッダー、特に書類などの用紙を細断するペーパーシュレッダーは、情報漏洩の防止のため、従来広く企業において利用されている。そして、近年施行された個人情報保護法により、さらに普及に拍車が掛かっている。また、家庭においても、廃棄ごみから侵害される恐れのあるプライバシーの保護といった観点から、個人の氏名や住所、電話番号などが記載された領収書やダイレクトメールの細断にシュレッダーが注目され、家電量販店やホームセンターなどで小型のものが販売されるようになってきている。
【０００３】
家庭用または業務用として書類などの被細断物を細断する際に用いられるシュレッダーは、被細断物の投入口と、被細断物を細断するカッターと、細断片を収容する収容部とを備えている。投入口から投入された被細断物は、投入通路を通過してカッターの箇所に到達し、細断された後、細断片となって収容部に落下して収容される。
【０００４】
このようなシュレッダーは、一度に投入できる被細断物の量が多く、細断作業の高効率化を図ることが可能なものが求められ、用紙厚み方向の投入口の間隔をできるだけ広くした設計が望まれる。しかしながら、そのような構成は、オフィスなどといったそもそも子どもがいない環境を想定した構成であって、一般家庭における子どもの使用を想定した設計がなされているわけではない。こうして設計された昨今のシュレッダーに関して、シュレッダーに子どもが指を巻き込まれて切断するという痛ましい事故が相次いで報告されている。
【０００５】
そこで、上記のような指の巻き込みなどといった異物の混入事故の防止に対応した構成のシュレッダーが提案され、その例を特許文献１〜３に見ることができる。
【特許文献１】特開２００２−２３９４０５号公報（第３頁、第１−２図）
【特許文献２】特開２００４−３２１９９３号公報（第４−５頁、第１図）
【特許文献３】特開２００５−２３０６７０号公報（第６−７頁、第４図）
【発明の開示】
【発明が解決しようとする課題】
【０００６】
特許文献１に記載されたシュレッダーでは、被細断物の投入通路に、被細断物の厚みを検知する検知機構を設けて、所定の厚みを超える被細断物が通過した場合、カッター（細断刃）の駆動モータを停止させるようにしているので、指の巻き込みといった事故を防止することができる。しかしながら、検知機構、すなわちセンサを設けると、部品コストが増大する。さらに、センサを設けるシュレッダー自体の構造及び制御が複雑になるので、一層コストが増大する恐れがある。
【０００７】
特許文献２に記載されたシュレッダーでは、異物が混入しないように被細断物の投入口の間隔をより狭くし、さらに特許文献３に記載されたシュレッダーでは、投入口の間隔を１．５ｍｍと極めて狭くすることにより、子どもの小さい指の巻き込みをも防止することができる。しかしながら、この方法では、一度に細断できる被細断物の量が激減するので、細断作業の能率が著しく低下する恐れがある。
【０００８】
また、指の巻き込み事故を防止する別の対策として、カッターの位置を投入口から遠ざけることが考えられる。しかしながら、この方法では、被細断物の投入通路がより長くなるので、細断に多くの時間を要することとなり、細断作業の能率が著しく低下する恐れがある。また、シュレッダー自体の大型化や細断片の収容量の低下といった不都合が発生することにもなる。
【０００９】
本発明は上記の点に鑑みなされたものであり、指の巻き込みなどといった異物の混入事故が防止可能であるとともに、大幅なコストアップが抑制された安全で安価な構成により、能率低下を招くことのなく細断作業を円滑に遂行することが可能なシュレッダーを提供することを目的とする。
【課題を解決するための手段】
【００１０】
上記の課題を解決するため、本発明ではシュレッダーを次のように構成する。
【００１１】
（１）投入口から、被細断物を細断するカッターの箇所まで延びる被細断物の投入通路が、被細断物の投入方向に対して湾曲しながら進む形となる湾曲部を備えることとした。
【００１２】
このような構成にすることによって、投入通路を、書類などの用紙は容易に通過させることができるが、指などの異物は湾曲部が邪魔をして通過させないようにすることができる。そしてこれは、新たに部品を増加する必要がなく、且つ投入口の間隔を狭くする必要もなく実現することが可能である。
【００１３】
（２）また本発明は、上記構成のシュレッダーにおいて、前記投入通路の湾曲部が、被細断物の投入方向に進む形の波形状にうねっていることとした。
【００１４】
このような構成にすることによって、投入通路の湾曲具合をさらに複雑にすることができ、投入物がうねりながら進むことになる。
【００１５】
（３）また本発明は、上記構成のシュレッダーにおいて、前記投入通路が、前記湾曲部に、被細断物の通過空間に露出する回転体を有することとした。
【００１６】
このような構成にすることによって、湾曲部における被細断物と投入通路内壁との接触抵抗を減少させることができ、被細断物をスムーズに投入することが可能である。
【００１７】
（４）また本発明は、上記構成のシュレッダーにおいて、前記投入通路が、前記湾曲部ではない箇所に、被細断物の通過空間に露出する回転体を有することとした。
【００１８】
このような構成にすることによって、湾曲部ではない箇所における被細断物と投入通路内壁との接触抵抗を減少させることができ、被細断物をスムーズに投入することが可能である。
【００１９】
（５）また本発明は、上記構成のシュレッダーにおいて、前記回転体が、駆動装置から動力を得て回転することとした。
【００２０】
このような構成にすることによって、投入口から投入された被細断物に送りを与えることができる。
【００２１】
（６）また本発明は、上記構成のシュレッダーにおいて、前記投入通路が、その被細断物通過空間内に、前記投入口から前記カッターの箇所まで、被細断物がまっすぐに通過できる通過空間を局部的に有することとした。
【００２２】
このような構成にすることによって、比較的量が多い被細断物や異物が通過するときは湾曲した投入通路の形状に沿って進むことになり、比較適量が少ない被細断物が通過するときは投入通路の形状に左右されることなくまっすぐ投入することが可能である。
【発明の効果】
【００２３】
本発明によると、シュレッダーにおいて、投入口からカッターの箇所まで延びる被細断物の投入通路が、投入方向に対して湾曲しながら進む形となる湾曲部を備えることとしたので、指の巻き込みなどといった異物の混入事故が防止可能であるとともに、大幅なコストアップが抑制された安全で安価な構成により、能率低下を招くことのなく細断作業を円滑に遂行することが可能である。また、投入通路の湾曲部を投入方向に進む形の波形状にすることにより、指の巻き込みなどといった異物の混入事故をさらに確実に防止することができる。
【００２４】
そして、投入通路が、湾曲部、または湾曲部ではない箇所に被細断物の通過空間に露出する回転体を有することにより、湾曲部、または湾曲部ではない箇所において被細断物が通過し難くなることを防止できるので、細断作業の能率低下をさらに抑制することが可能になる。また、その回転体が、駆動装置から動力を得て回転することにより、細断作業をより一層円滑に進めることができる。そして、動力を得て回転する回転体を増加することにより、各々の回転トルクを抑制することができるので、異物を巻き込んでしまうといった事故も防止することが可能である。
【００２５】
さらに、投入通路が、その被細断物通過空間内において、投入口からカッターの箇所まで、被細断物がまっすぐに通過できる通過空間を局部的に有することとしたので、指の巻き込みなどといった異物の混入事故を防止しながら、少量の被細断物である場合には細断作業の能率アップを図ることが可能である。
【発明を実施するための最良の形態】
【００２６】
以下、本発明の実施形態を図１〜図５に基づき説明する。
【００２７】
最初に、本発明の第１の実施形態に係るシュレッダーについて、図１を用いてその構成を説明する。図１は、シュレッダーの全体構成を示す模型的垂直断面図である。
【００２８】
シュレッダー１は、図１に示すように、上部にカッター部２を、下部に収容部３を備え、全体が直方体形状をなしている。シュレッダー１は、被細断物として書類などの用紙を細断するペーパーシュレッダーであって、上方からカッター部２に投入された用紙は、細断片Ｐｓとして細断されて下方に落下し、収容部３に収容される。
【００２９】
なお、図１では、用紙の投入方向と直角をなす用紙幅方向に対する細断に加えて投入方向に対しても所定間隔で細断するクロスカット方式を想定して細断片Ｐｓを描画しているが、用紙幅方向にのみ細断するストレートカット方式のシュレッダーであっても構わない。
【００３０】
カッター部２には、投入口４、カッター５、及び投入通路６が備えられている。
【００３１】
被細断物である用紙の投入口４は、カッター部２の上面であって、シュレッダー１の上面に設けられている。投入口４は、用紙を投入し易く、且つ下方に続く投入通路６に用紙を導き易いように、上面の箇所で口が広く、下方に進むに従って口が狭くなるように構成されている。
【００３２】
カッター５は、カッター部２の下方に備えられている。カッター５は、軸線を略水平にして配置された２個の回転刃で構成され、互いが噛み合うように対向する形で配置されている。２個のカッター５は、図示しない駆動装置であるモータによって、互いの噛み合う箇所が同じ方向に、下方に進むように回転する。この２個のカッター５が噛み合う箇所に被細断物である用紙が挿入され、細断される。カッター５は、前述のように、クロスカット用、ストレートカット用いずれのものであっても構わない。
【００３３】
用紙の投入通路６は、投入口４からカッター５の箇所まで延び、用紙を導いている。投入通路６の上部には、被細断物である用紙の投入方向に対して湾曲する形となる湾曲部７が備えられている。
【００３４】
このような構成にすることによって、投入通路６を、用紙は容易に通過させることができるが、指などの異物は湾曲部７が邪魔をして通過させないようにすることができる。そしてこれは、新たに部品を増加する必要がなく、且つ投入口４の間隔を狭くする必要もなく実現することが可能である。したがって、シュレッダー１は、指の巻き込みなどといった異物の混入事故が防止可能であるとともに、大幅なコストアップが抑制された安全で安価な構成により、能率低下を招くことのなく細断作業を円滑に遂行することが可能である。
【００３５】
次に、本発明の第２の実施形態に係るシュレッダーについて、図２を用いてその構成を説明する。図２は、シュレッダーの上部を示す模型的垂直断面図である。なお、この実施形態の基本的な構成は、図１を用いて説明した前記第１の実施形態と同じであるので、第１の実施形態と共通する構成要素には前と同じ符号を付し、説明は省略するものとする。
【００３６】
第２の実施形態に係るシュレッダー１では、図２に示すように、カッター部２において、投入口４からカッター５の箇所まで延びる投入通路６が、被細断物である用紙の投入方向に進む形でうねる波形状の湾曲部８を備えている。投入通路６は、この波形状の湾曲部８を投入方向略中央部に備え、湾曲部８の上下には湾曲していない直線的な箇所を有している。
【００３７】
このような構成にすることによって、投入通路６の湾曲具合をさらに複雑にすることができ、用紙がうねりながら進むことになる。したがって、指の巻き込みなどといった異物の混入事故をさらに確実に防止することができる。
【００３８】
また、投入通路６は、回転体である投入補助ローラ９を、湾曲部８に備えている。投入補助ローラ９は、ローラ部表面の一部が被細断物である用紙の通過空間に露出し、用紙の接触に従って回転することとなる。
【００３９】
このような構成にすることによって、湾曲部８における用紙と投入通路６内壁との接触抵抗を減少させることができ、用紙をスムーズに投入することが可能である。したがって、湾曲部８において用紙が通過し難くなることを防止できるので、細断作業の能率低下をさらに抑制することが可能になる。
【００４０】
なお、投入補助ローラ９には、モータなどの駆動装置は接続されていない。
【００４１】
次に、本発明の第３の実施形態に係るシュレッダーについて、図３を用いてその構成を説明する。図３は、シュレッダーの上部を示す模型的垂直断面図である。なお、この実施形態の基本的な構成は、図１を用いて説明した前記第１の実施形態と同じであるので、第１の実施形態と共通する構成要素には前と同じ符号を付し、説明は省略するものとする。
【００４２】
第３の実施形態に係るシュレッダー１では、図３に示すように、カッター部２において、投入通路６が、用紙の投入方向に進む形でうねる波形状の湾曲部８を投入方向略中央部に備えるとともに、その湾曲部８の上下に設けられた湾曲していない直線的な箇所に回転体である投入補助ローラ９を備えている。投入補助ローラ９は、湾曲部８の上下の２箇所に設けられている。
【００４３】
このような構成にすることによって、湾曲部８ではない箇所における用紙と投入通路６内壁との接触抵抗を減少させることができ、用紙をスムーズに投入することが可能である。したがって、湾曲部８ではない箇所において用紙が通過し難くなることを防止できるので、細断作業の能率低下をさらに抑制することが可能になる。
【００４４】
なお、投入補助ローラ９には、モータなどの駆動装置は接続されていない。また、投入補助ローラ９は、湾曲部８ではない２箇所に必ずしも設けなければならないわけではなく、いずれか一方であっても構わない。
【００４５】
次に、本発明の第４の実施形態に係るシュレッダーについて、図４を用いてその構成を説明する。図４は、シュレッダーの上部を示す模型的垂直断面図である。なお、この実施形態の基本的な構成は、図１を用いて説明した前記第１の実施形態と同じであるので、第１の実施形態と共通する構成要素には前と同じ符号を付し、説明は省略するものとする。
【００４６】
第４の実施形態に係るシュレッダー１では、図４に示すように、カッター部２において、投入通路６が、用紙の投入方向に進む形でうねる波形状の湾曲部８を投入方向略中央部に備えるとともに、その湾曲部８の上下に設けられた湾曲していない直線的な箇所に回転体である投入補助ローラ１０を備えている。投入補助ローラ１０は、湾曲部８の上下の２箇所に設けられている。
【００４７】
これらの投入補助ローラ１０のうち上側の投入補助ローラ１０Ｕは、ギア群１１を介して、駆動装置であるモータ１２に接続されている。投入補助ローラ１０Ｕは、モータ１２から動力を得て、投入通路６に投入された用紙に送りを与えることができる。
【００４８】
一方、下側の投入補助ローラ１０Ｌは、ベルト１３を介して、上側の投入補助ローラ１０Ｕに連結されている。これにより下側の投入補助ローラ１０Ｌは、モータ１２から動力を得た上側の投入補助ローラ１０Ｕと同期して、同じ方向に、同じ速度で回転する。下側の投入補助ローラ１０Ｌもまた、上側の投入補助ローラ１０Ｕと同様に、投入通路６に投入された用紙に送りを与えることができる。
【００４９】
上記のような構成にすることにより、細断作業をより一層円滑に進めることができる。そして、動力を得て回転する回転体である投入補助ローラ１０を増加することにより、各々の回転トルクを抑制することができるので、異物を巻き込んでしまうといった事故も防止することが可能である。
【００５０】
次に、本発明の第５の実施形態に係るシュレッダーについて、図５を用いてその構成を説明する。図５は、シュレッダーの上部を示す模型的垂直断面図である。なお、この実施形態の基本的な構成は、図１を用いて説明した前記第１の実施形態と同じであるので、第１の実施形態と共通する構成要素には前と同じ符号を付し、説明は省略するものとする。
【００５１】
第５の実施形態に係るシュレッダー１では、図５に示すように、カッター部２において、投入通路６が、用紙Ｐの投入方向に進む形でうねる波形状の湾曲部８を投入方向略中央部に備えるとともに、その湾曲部８に回転体である投入補助ローラ９を備えている。そして、投入通路６は、その用紙通過空間Ｓ内において、投入口４からカッター５の箇所まで、用紙Ｐがまっすぐに通過できる通過空間Ｓａ（２本の二点鎖線の間の空間）を局部的に有している。この用紙Ｐがまっすぐに通過できる通過空間Ｓａに投入可能な用紙Ｐの枚数は、投入通路６に投入可能な最大枚数より少ない。
【００５２】
このような構成にすることによって、比較的量が多い用紙Ｐや異物が通過するときは湾曲した投入通路６の形状に沿って進むことになり、比較適量が少ない用紙Ｐが通過するときは投入通路６の形状に左右されることなくまっすぐ投入することが可能である。したがって、指の巻き込みなどといった異物の混入事故を防止しながら、少量の用紙Ｐである場合には細断作業の能率アップを図ることが可能である。
【００５３】
以上、本発明の各実施形態につき説明したが、本発明の範囲はこれに限定されるものではなく、発明の主旨を逸脱しない範囲で種々の変更を加えて実施することができる。
【００５４】
例えば、投入補助ローラ９、１０の個数及び配置箇所は、上記実施形態で説明した構成に限定されるわけではなく、発明の主旨を逸脱しない範囲で他の個数及び配置箇所であっても構わない。また、第３〜第５の実施形態では、湾曲部８の形状を波形状としているが、波形状ではない第１の実施形態の湾曲部７のような形状であっても構わない。
【産業上の利用可能性】
【００５５】
本発明は、家庭用又は業務用のシュレッダー全般に利用可能である。
【図面の簡単な説明】
【００５６】
【図１】本発明の第１の実施形態に係るシュレッダーの全体を示す垂直断面図である。
【図２】本発明の第２の実施形態に係るシュレッダーの上部を示す垂直断面図である。
【図３】本発明の第３の実施形態に係るシュレッダーの上部を示す垂直断面図である。
【図４】本発明の第４の実施形態に係るシュレッダーの上部を示す垂直断面図である。
【図５】本発明の第５の実施形態に係るシュレッダーの上部を示す垂直断面図である。
【符号の説明】
【００５７】
１    シュレッダー
２    カッター部
３    収容部
４    投入口
５    カッター
６    投入通路
７、８    湾曲部
９、１０  投入補助ローラ（回転体）
１２  モータ（駆動装置）
【図１】
2008104896.tif 000003
【図２】
2008104896.tif 000004
【図３】
2008104896.tif 000005
【図４】
2008104896.tif 000006
【図５】
2008104896.tif 000007